【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
第１ビット数の入力画像データを、前記第１ビット数よりも少ない第２ビット数の出力画像データに変換する画像処理装置であって、
前記入力画像データに基づいて、第１の閾値より大きい代表輝度値を決定する決定手段と、
前記入力画像データの画素値を入力値とし、前記入力値に対応する前記出力画像データの画素値を出力値とするルックアップテーブルを、前記代表輝度値を用いて生成する生成手段と、
前記生成手段で生成されたルックアップテーブルを用いて、前記入力画像データの画素値を前記出力画像データの画素値に変換する変換手段と、
を有する
ことを特徴とする画像処理装置。
【請求項２】
前記生成手段は、
前記代表輝度値に基づいて、前記第１の閾値より大きい画素値を決定し、
前記第１の閾値以下の画素値を入力値とする複数の第１の格子点を有するルックアップテーブルに対し、前記決定した画素値を入力値とする第２の格子点を生成する
ことを特徴とする請求項１に記載の画像処理装置。
【請求項３】
前記入力画像データは、ＲＧＢ画像データであり、
前記生成手段は、Ｒ値、Ｇ値、及び、Ｂ値のうちの少なくともいずれかの値が前記代表輝度値と一致する画素値を入力値とする格子点を、前記第２の格子点として生成する
ことを特徴とする請求項２に記載の画像処理装置。
【請求項４】
前記入力画像データは、ＲＧＢ画像データであり、
前記代表輝度値をＹｏｗとした場合に、
前記生成手段は、
Ｒ値＝Ｙｏｗであり、Ｇ値＝Ｂ値＝０である画素値を入力値とする格子点、
Ｇ値＝Ｙｏｗであり、Ｒ値＝Ｂ値＝０である画素値を入力値とする格子点、
Ｂ値＝Ｙｏｗであり、Ｒ値＝Ｇ値＝０である画素値を入力値とする格子点、
Ｒ値＝Ｇ値＝Ｙｏｗであり、Ｂ値＝０である画素値を入力値とする格子点、
Ｒ値＝Ｂ値＝Ｙｏｗであり、Ｇ値＝０である画素値を入力値とする格子点、
Ｇ値＝Ｂ値＝Ｙｏｗであり、Ｒ値＝０である画素値を入力値とする格子点、及び、
Ｒ値＝Ｇ値＝Ｂ値＝Ｙｏｗである画素値を入力値とする格子点、
の７つの格子点を前記第２の格子点として生成する
ことを特徴とする請求項２または３に記載の画像処理装置。
【請求項５】
前記生成手段は、前記第１の格子点のうちの一部の格子点の入力値と出力値を変更することにより、前記第２の格子点を生成する
ことを特徴とする請求項２〜４のいずれか１項に記載の画像処理装置。
【請求項６】
前記生成手段は、
前記第１の格子点の中で入力値のＲ値が最も大きい格子点の入力値を、Ｒ値を前記代表輝度値に変更することによって変更し、
前記第１の格子点の中で入力値のＧ値が最も大きい格子点の入力値を、Ｇ値を前記代表輝度値に変更することによって変更し、
前記第１の格子点の中で入力値のＢ値が最も大きい格子点の入力値を、Ｂ値を前記代表輝度値に変更することによって変更し、
変更後の入力値に対応する格子点を、前記第２の格子点として生成する
ことを特徴とする請求項２〜５のいずれか１項６に記載の画像処理装置。
【請求項７】
前記変換手段は、前記ルックアップテーブルの複数の格子点の中に、前記入力画像データの画素値を入力値とする格子点が存在しない場合には、当該画素値に対応する出力値を、格子点の内挿または外挿により算出する
ことを特徴とする請求項１〜６のいずれか１項に記載の画像処理装置。
【請求項８】
前記決定手段は、前記入力画像データのヒストグラムに基づいて、前記代表輝度値を決定する
ことを特徴とする請求項１〜７のいずれか１項に記載の画像処理装置。
【請求項９】
前記第１の閾値より大きい画素値を有する画素をオーバーホワイト画素とし、
前記決定手段は、前記入力画像データに含まれる輝度値毎のオーバーホワイト画素のうち、数が最も多いオーバーホワイト画素の輝度値またはその周辺の輝度値を、前記代表輝度値として決定する
ことを特徴とする請求項８に記載の画像処理装置。
【請求項１０】
前記第１の閾値より大きい画素値を有する画素をオーバーホワイト画素とし、
前記決定手段は、
前記入力画像データに含まれる輝度値毎のオーバーホワイト画素の数を低輝度側から順番に累積し、
前記入力画像データに含まれるオーバーホワイト画素の総数に対する累積数の割合が第２の閾値を超えたときの輝度値を、前記代表輝度値として決定する
ことを特徴とする請求項８に記載の画像処理装置。
【請求項１１】
前記第１の閾値より大きい画素値を有する画素をオーバーホワイト画素とし、
前記決定手段は、前記入力画像データに含まれるオーバーホワイト画素のうち、所定サイズ以上の領域を構成するオーバーホワイト画素の輝度値の最大値またはその周辺の輝度値を、前記代表輝度値として決定する
ことを特徴とする請求項１〜７のいずれか１項に記載の画像処理装置。
【請求項１２】
前記第１の閾値より大きい画素値を有する画素をオーバーホワイト画素とし、
前記決定手段は、
前記入力画像データの画素のうちオーバーホワイト画素から所定範囲内の画素について、その画素の輝度値と、当該画素の周辺の画素の輝度値との平均値を算出し、
前記平均値の最大値を前記代表輝度値として決定する
ことを特徴とする請求項１〜７のいずれか１項に記載の画像処理装置。
【請求項１３】
前記第１の閾値より大きい画素値を有する画素をオーバーホワイト画素とし、
前記決定手段は、
前記入力画像データの画素のうちオーバーホワイト画素から所定範囲内の画素について、その画素の輝度値と、当該画素の周辺の画素の輝度値との平均値を算出し、
前記平均値に対する前記周辺の画素の輝度値の最大値の割合が第３の閾値以下である画素の前記平均値の最大値を、前記代表輝度値として決定する
ことを特徴とする請求項１〜７のいずれか１項に記載の画像処理装置。
【請求項１４】
前記入力画像データは、ＲＧＢ画像データであり、
前記オーバーホワイト画素は、Ｒ値、Ｇ値、及び、Ｂ値のうちの少なくともいずれかの値が前記第１の閾値より大きい画素である
ことを特徴とする請求項９〜１３のいずれか１項に記載の画像処理装置。
【請求項１５】
第１ビット数の入力画像データを、前記第１ビット数よりも少ない第２ビット数の出力画像データに変換する画像処理装置の制御方法であって、
前記入力画像データに基づいて、代表輝度値を決定する決定ステップと、
前記入力画像データの画素値を入力値とし、前記入力値に対応する前記出力画像データの画素値を出力値とするルックアップテーブルを、前記代表輝度値を用いて生成する生成ステップと、
前記生成ステップで生成されたルックアップテーブルを用いて、前記入力画像データの画素値を前記出力画像データの画素値に変換する変換ステップと、
を有する
ことを特徴とする画像処理装置の制御方法。
【手続補正２】
【補正対象書類名】明細書
【補正対象項目名】０００８
【補正方法】変更
【補正の内容】
【０００８】
本発明の画像処理装置は、
第１ビット数の入力画像データを、前記第１ビット数よりも少ない第２ビット数の出力画像データに変換する画像処理装置であって、
前記入力画像データに基づいて、第１の閾値より大きい代表輝度値を決定する決定手段と、
前記入力画像データの画素値を入力値とし、前記入力値に対応する前記出力画像データの画素値を出力値とするルックアップテーブルを、前記代表輝度値を用いて生成する生成手段と、
前記生成手段で生成されたルックアップテーブルを用いて、前記入力画像データの画素値を前記出力画像データの画素値に変換する変換手段と、
を有する
ことを特徴とする。
【手続補正３】
【補正対象書類名】明細書
【補正対象項目名】０００９
【補正方法】変更
【補正の内容】
【０００９】
本発明の画像処理装置の制御方法は、
第１ビット数の入力画像データを、前記第１ビット数よりも少ない第２ビット数の出力画像データに変換する画像処理装置の制御方法であって、
前記入力画像データに基づいて、代表輝度値を決定する決定ステップと、
前記入力画像データの画素値を入力値とし、前記入力値に対応する前記出力画像データの画素値を出力値とするルックアップテーブルを、前記代表輝度値を用いて生成する生成ステップと、
前記生成ステップで生成されたルックアップテーブルを用いて、前記入力画像データの画素値を前記出力画像データの画素値に変換する変換ステップと、
を有する
ことを特徴とする。